(57)【要約】【課題】不慣れな撮影者により撮影が行なわれたとしても、手ぶれが手ぶれ補正手段で補正されるとともに被写体ぶれの発生が未然に防止されて鮮明な撮影が行なわれる撮影装置およびその撮影装置における撮影方法を提供する。【解決手段】マイクロコンピュータが電源オンからレリーズボタンが押される（Ｓ１）までの間のぶれ角をジャイロセンサを使って検出する。手ぶれ補正手段で補正できる補正可能レベルを超えていたときには無条件に手ブレ補正限界のシャッタ速度１／ｆを設定する。また顔が検出された場合には、手ぶれのレベルによらずにシャッタ速度が被写体ぶれの発生しにくいシャッタ速度例えば１／６０よりも遅いシャッタ速度を避けたシャッタ速度に調整され、さらにそのシャッタ速度にあうように、アナログ信号処理部内の可変利得アンプの利得が調整されて撮影が行なわれる。【選択図】        図３
2008228049.tif 000002
【特許請求の範囲】
【請求項１】
撮像素子上に被写体を結像して画像信号を生成する撮影装置において、
手ぶれを検出する手ぶれ検出手段と、
前記手ぶれ検出手段で検出された手ぶれを補正する手ぶれ補正手段と、
撮影感度を調整する感度調整手段と、
撮影時のシャッタ速度を設定するシャッタ速度設定手段と、
前記撮像素子で得られた画像信号に基づいて顔の有無を検出する顔検出手段と、
前記手ぶれ検出手段で検出された手ぶれのレベルが前記手ぶれ補正手段で手ぶれを補正できる補正可能レベルを超えていたときには、前記感度調整手段に撮影感度を上げさせるとともに前記シャッタ速度調整手段にシャッタ速度を速めさせ、前記顔検出手段で顔が検出された場合は、前記手ぶれ検出手段で検出された手ぶれのレベルにかかわらず、前記シャッタ速度調整手段に、被写体ぶれを防止するための所定のシャッタ速度よりも遅いシャッタ速度を避けたシャッタ速度に調整させるとともに、前記感度調整手段に、調整されたシャッタ速度に合わせた撮影感度に調整させる撮影制御手段とを備えたことを特徴とする撮影装置。
【請求項２】
押下により撮影を指示する撮影ボタンと、該撮影ボタンへの指の接触を検出する接触検出センサとを備え、
前記撮影制御手段は、前記手ぶれ検出手段で検出された、前記接触検出センサへの指の接触が検出された時点以降の手ぶれに基づいて、手ぶれのレベルを判定するものであることを特徴とする請求項１記載の撮影装置。
【請求項３】
撮影者により覗かれるファインダと、該ファインダへの撮影者の接眼を検出する検出センサとを備え、
前記撮影制御手段は、前記手ぶれ検出手段で検出された、前記接触検出センサへの接触が検出された時点以降の手ぶれに基づいて手ぶれのレベルを判定するものであることを特徴とする請求項１記載の撮影装置。
【請求項４】
撮影により得られた画像信号に対応させて、該撮影時における、前記手ぶれ検出手段により検出された手ぶれのレベル及び前記顔検出手段による該顔の検出の有無を記録する記録手段を備えたことを特徴とする請求項１から４のうちのいずれか１項記載の撮影装置。
【請求項５】
手ぶれを検出する手ぶれ検出手段と、前記手ぶれ検出手段により検出された手ぶれを補正する手ぶれ補正手段と、撮影感度を調整する感度調整手段と、撮影時のシャッタ速度を設定するシャッタ速度設定手段と、前記撮像素子で得られた画像信号に基づいて顔の有無を検出する顔検出手段とを備え、撮像素子上に被写体を結像させて該被写体を表わす画像信号を生成する撮影装置における撮影方法であって、
前記手ぶれ検出手段で検出された手ぶれのレベルが前記手ぶれ補正手段で手ぶれを補正できる補正可能レベルを超えているか否かを判定する判定ステップと、
前記判定ステップで、前記手ぶれ検出手段で検出された手ぶれのレベルが前記補正可能レベルを超えていると判定された場合に、前記感度調整手段に撮影感度を上げさせるとともに前記シャッタ速度調整手段にシャッタ速度を速めさせる第１の撮影制御ステップと、
前記顔検出手段で顔が検出された場合に、前記手ぶれ検出手段で検出された手ぶれのレベルにかかわらず、被写体ぶれを防止するための所定のシャッタ速度よりも遅いシャッタ速度を避けたシャッタ速度に調整させるとともに、前記感度調整手段に、調整されたシャッタ速度に合わせた撮影感度に調整させる第２の撮影制御ステップとを有することを特徴とする撮影方法。
【請求項６】
前記撮影装置が、押下により撮影を指示する撮影ボタンと、該撮影ボタンへの指の接触を検出する接触検出センサとを備えた撮影装置であって、
前記判定ステップは、前記接触検出センサへの指の接触が検出された時点以降の手ぶれに基づいて手ぶれのレベルを判定するステップであることを特徴とする請求項５記載の撮影方法。
【請求項７】
前記撮影装置が、撮影者により覗かれるファインダと、該ファインダへの撮影者の接眼を検出する接眼検出センサとを備えた撮影装置であって、
前記判定ステップは、前記接眼検出センサへの接眼が検出された時点以降の手ぶれに基づいて手ぶれのレベルを判定するステップであることを特徴とする請求項５記載の撮影方法。
【請求項８】
撮影により得られた画像信号に対応させて、該撮影時における、前記手ぶれ検出手段により検出された手ぶれのレベル及び前記顔検出手段による該顔の検出の有無を記録するステップを、さらに有することを特徴とする請求項５から７のうちのいずれか１項記載の撮影方法。
【発明の詳細な説明】
【技術分野】
【０００１】
本発明は、撮像素子を備えその撮像素子上に被写体像を形成して画像信号を生成する撮影装置、およびその撮影装置における撮影方法に関する。
【背景技術】
【０００２】
従来より、手ぶれ検出センサで手ぶれを検出してその手ぶれ検出センサの検出結果に基づいて手ぶれ補正手段により手ぶれを補正する技術が数多く提案されている（例えば特許文献１参照）。この手ぶれ補正手段が搭載されている撮影装置においては、撮影時に手ぶれが発生したとしても上記手ぶれ補正手段でその手ぶれが補正されるのでぶれのない鮮明な画像が得られる。また、特許文献２、３には、感度アップを行なうとともにシャッタ速度を上げて手ぶれを抑制する技術が提案されている。
ところで、手ぶれは撮影に不慣れな撮影者が撮影を行なおうとしてレリーズボタンを勢い良く押したときに撮影装置のボディが振れることにより発生することが多い。またこのような撮影に不慣れな撮影者にあっては、被写体の中に人の様に動くものがあったときにレリーズボタンの押し方に関係なく被写体ぶれが発生してしまうこともよくある。
特許文献４には、被写体の中に人がいるかどうかを検出することができるように、例えば顔検出手段等を撮影装置内に配備し配備した顔検出手段で被写体の中に人が居るかどうかを判別して絞り値などを適切に設定することで撮影に不慣れな撮影者であっても被写体ぶれのない鮮明な写真を得ることができるようにする技術が報告されている。
しかしながら特許文献４では撮影に不慣れな撮影者であれば発生する率が非常に高くなる手ぶれについては何ら考慮されていない。
【特許文献１】特開２００６−３２５０８３号公報
【特許文献２】特開平５−２０４０１８号公報
【特許文献３】特開平１１−２１５４３１号公報
【特許文献４】特開２００２−１０１３５号公報
【発明の開示】
【発明が解決しようとする課題】
【０００３】
本発明は、上記事情に鑑み、不慣れな撮影者により撮影が行なわれたとしても、手ぶれが手ぶれ補正手段で補正されるとともに被写体ぶれの発生が未然に防止されて鮮明な撮影画像を得ることのできる撮影装置およびその撮影装置における撮影方法を提供することを目的とする。
【課題を解決するための手段】
【０００４】
上記目的を達成する本発明の撮影装置は、撮像素子上に被写体を結像して画像信号を生成する撮影装置において、
手ぶれを検出する手ぶれ検出手段と、
上記手ぶれ検出手段で検出された手ぶれを補正する手ぶれ補正手段と、
撮影感度を調整する感度調整手段と、
撮影時のシャッタ速度を設定するシャッタ速度設定手段と、
上記撮像素子で得られた画像信号に基づいて顔の有無を検出する顔検出手段と、
上記手ぶれ検出手段で検出された手ぶれのレベルが前記手ぶれ補正手段で手ぶれを補正できる補正可能レベルを超えていたときには、上記感度調整手段に撮影感度を上げさせるとともに上記シャッタ速度調整手段にシャッタ速度を速めさせ、上記顔検出手段で顔が検出された場合は、上記手ぶれ検出手段で検出された手ぶれのレベルにかかわらず、上記シャッタ速度調整手段に、被写体ぶれを防止するための所定のシャッタ速度よりも遅いシャッタ速度を避けたシャッタ速度に調整させるとともに、上記感度調整手段に、調整されたシャッタ速度に合わせた撮影感度に調整させる撮影制御手段とを備えたことを特徴とする。
【０００５】
上記本発明の撮影装置によれば、上記手ぶれ補正手段で検出された手ぶれのレベルが手ぶれを補正できる補正可能レベルを超えていたときには、上記撮影制御手段が上記感度調整手段に撮影感度を上げさせるとともに上記シャッタ速度調整手段にシャッタ速度を速めさせて撮影が行なわれ、上記顔検出手段で顔が検出された場合には、上記手ぶれ検出手段で検出された手ぶれのレベルによらずに、上記撮影制御手段が上記シャッタ速度調整手段にシャッタ速度を上記被写体ぶれを防止するための所定のシャッタ速度に調整させるるとともに、そのシャッタ速度にあわせて上記感度調整手段に撮影感度を調整させて撮影が行なわれる。
【０００６】
そうすると、手ぶれのレベルが補正可能レベルを超えていたときには、シャッタ速度が速められるとともに撮影感度が上げられて撮影が行なわれるとともに、手ぶれのレベルが補正可能レベルであっても、被写体中に人がいる場合には被写体ぶれが発生する恐れがあるとしてシャッタ速度が被写体ぶれが防止されるシャッタ速度にまで速められるとともにそのシャッタ速度に合わせて撮影感度が上げられて撮影が行なわれるので、手ぶれ又は被写体ぶれのいずれもが発生しにくくなって鮮明な画像が得られる。
【０００７】
すなわち、不慣れな撮影者により撮影が行なわれたときに手ぶれが手ぶれ補正手段で補正されるとともに、被写体ぶれの発生が未然に防止されて鮮明な撮影画像が得られる。
【０００８】
ここで、この撮影装置は、押下により撮影を指示する撮影ボタンと、その撮影ボタンへの指の接触を検出する接触検出センサとを備え、上記撮影制御手段は、上記手ぶれ検出手段で検出された、上記接触検出センサへの指の接触が検出された時点以降の手ぶれに基づいて、手ぶれのレベルを判定するものであっても良く、またこの撮影装置が、撮影者により覗かれるファインダと、そのファインダへの撮影者の接眼を検出する検出センサとを備え、上記撮影制御手段は、上記手ぶれ検出手段で検出された、上記接触検出センサへの接触が検出された時点以降の手ぶれに基づいて手ぶれのレベルを判定するものであっても良い。また、レリーズボタンが押される（Ｓ１）直前の一定時間内のぶれ量に基づいて、手ぶれのレベルを判定しても良い。
【０００９】
また上記撮影制御手段は、上記顔検出手段で顔が検出されていない場合であっても、上記手ぶれ検出手段で検出された手ぶれが前記補正可能レベル以上であったときには、上記感度調整手段に撮影感度を上げさせるとともに上記シャッタ速度調整手段にシャッタ速度を速めさせるものであることが好ましい。
【００１０】
そうすると、上記手ぶれ補正手段では補正できない手ぶれが上記手ぶれ検出手段で検出されたときには、顔の検出の有無によらずに上記撮影制御手段によって撮影感度が上げられ手ぶれの影響が発生しない高速のシャッタ速度が設定されて撮影が行なわれて鮮明な撮影画像が得られる。
【００１１】
また、この撮影装置が、撮影により得られた画像信号に対応させて、その撮影時における、上記手ぶれ検出手段により検出された手ぶれのレベル及び上記顔検出手段による顔の検出の有無を記録する記録手段を備えた態様であることが好ましい。
【００１２】
そうすると、再生画像を表示画面上に表示させるときに、手ぶれのレベル及び顔の検出の有無を表示画面上に再生画像とともに表示させることができる。撮影者はその表示を見て撮影画像の出来栄えについての解析を行なうことができる。
【００１３】
また、上記本発明の撮影装置における撮影方法は、手ぶれを検出する手ぶれ検出手段と、上記手ぶれ検出手段により検出された手ぶれを補正する手ぶれ補正手段と、撮影感度を調整する感度調整手段と、撮影時のシャッタ速度を設定するシャッタ速度設定手段と、上記撮像素子で得られた画像信号に基づいて顔の有無を検出する顔検出手段とを備え、撮像素子上に被写体を結像させてその被写体を表わす画像信号を生成する撮影装置における撮影方法であって、
上記手ぶれ検出手段で検出された手ぶれのレベルが上記手ぶれ補正手段で手ぶれを補正できる補正可能レベルを超えているか否かを判定する判定ステップと、
上記判定ステップで、上記手ぶれ検出手段で検出された手ぶれのレベルが上記補正可能レベルを超えていると判定された場合に、上記感度調整手段に撮影感度を上げさせるとともに上記シャッタ速度調整手段にシャッタ速度を速めさせる第１の撮影制御ステップと、
上記顔検出手段で顔が検出された場合に、上記手ぶれ検出手段で検出された手ぶれのレベルにかかわらず、被写体ぶれを防止するための所定のシャッタ速度よりも遅いシャッタ速度を避けたシャッタ速度に調整させるとともに、上記感度調整手段に、調整されたシャッタ速度に合わせた撮影感度に調整させる第２の撮影制御ステップとを有することを特徴とする。
【００１４】
ここで上記撮影装置が、押下により撮影を指示する撮影ボタンと、その撮影ボタンへの指の接触を検出する接触検出センサとを備えた撮影装置であった場合には、上記判定ステップは、上記接触検出センサへの指の接触が検出された時点以降の手ぶれに基づいて手ぶれのレベルを判定するステップであっても良く、また、上記撮影装置が、撮影者により覗かれるファインダと、そのファインダへの撮影者の接眼を検出する接眼検出センサとを備えた撮影装置であった場合には、上記判定ステップは、上記接眼検出センサへの接眼が検出された時点以降の手ぶれに基づいて手ぶれのレベルを判定するステップであっても良い。
【００１５】
さらに、撮影により得られた画像信号に対応させて、その撮影時における、上記手ぶれ検出手段により検出された手ぶれのレベル及び前記顔検出手段による該顔の検出の有無を記録するステップを、さらに有すると尚良い。
【発明の効果】
【００１６】
以上、説明したように、不慣れな撮影者により撮影が行なわれたとしても手ぶれが手ぶれ補正手段で補正されるとともに被写体ぶれの発生が未然に防止されて鮮明な撮影画像を得ることができる撮影装置およびその撮影装置における撮影方法が実現する。
【発明を実施するための最良の形態】
【００１７】
以下、本発明の実施の形態について説明する。
【００１８】
図１は、本発明の撮影装置の一実施形態であるデジタルカメラを示す図である。
【００１９】
図１には本発明の一実施形態であるデジタルカメラ１００の斜視図が示されている。図１（ａ）には正面上方から見た斜視図が示されており、図１（ｂ）には背面上方から見た斜視図が示されている。
【００２０】
図１（ａ）に示すように、本実施形態のデジタルカメラ１００のボディ中央にはレンズ鏡胴１７０が備えられており、そのレンズ鏡胴１７０の上方には、ファインダ１０５が備えられている。またそのファインダ１０５の脇には撮影補助光発光窓ＷＤが備えられている。
【００２１】
また、図１（ｂ）に示すように本実施形態のデジタルカメラ１００の背面および上面にはユーザがこのデジタルカメラ１００を使用するときにいろいろな操作を行うための操作子群１０１が備えられている。
【００２２】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅ、レリーズ釦１０１ｆなどがある。これらの操作子群１０１の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されると表示画面１５０上にスルー画が表示されて、そのスルー画を見ながらシャッタチャンスにレリーズ釦１０１ｆが押されると被写体の撮影が行なわれる。なお上記モードレバー１０１ｅが再生側に切り替えられた状態にあるときには既撮影画像が表示画面１５０上に再生表示される。
【００２３】
詳細は後述するが図１に示すレンズ鏡胴１７０の内部にはフォーカスレンズや焦点距離可変のレンズなどの撮影レンズが内蔵されている。またその撮影レンズの中には手ぶれ補正レンズも配備されていて、デジタルカメラ１００の内部には、その手ぶれ補正レンズを手ぶれを打ち消すように駆動する手ぶれ補正手段（後述する）が配備されている。
【００２４】
なお本実施形態のデジタルカメラ１００が備えるレリーズ釦１０１ｆは半押しと全押しの２つの操作態様を有しており、半押しされたときのタイミングで測光と測距との双方が撮影装置内で行われて測光値に応じた絞り兼用シャッタのシャッタ速度が設定され、また測距された被写体距離にあうピント位置にフォーカスレンズが配置される。このときにレリーズ釦１０１ｆが全押しされると、半押し時に設定されたシャッタ速度で絞り兼用シャッタが駆動され撮像素子への被写体光の照射が制御されて撮影が行なわれる。
【００２５】
また、本実施形態のデジタルカメラが備えるシャッタには絞り兼用シャッタと撮像素子が備える電子シャッタとの２つのシャッタがあり、シャッタ速度が遅いときには絞り兼用シャッタが用いられ絞り兼用シャッタでは駆動することができない位までシャッタ速度が速くなってきたときには電子シャッタが用いられる。ただし静止画撮影においてはスミアなどが発生する恐れがあるので、なるべく絞り兼用シャッタが用いられ、スルー画においては絞り兼用シャッタが用いられることもあるが主に電子シャッタが用いられる。
【００２６】
図２は、図１のデジタルカメラ１００内部の電気系統の構成ブロック図である。  
【００２７】
図２を参照してこのデジタルカメラ１００の内部の構成および動作を簡単に説明する。
【００２８】
本実施形態のデジタルカメラ１００ではすべての処理がマイクロコンピュータ１１０によって統括的に制御されている。マイクロコンピュータ１１０には、ＣＰＵ１１０ＡとプログラムメモリとなるＲＯＭ１１０Ｂと、そのプログラムメモリ内のプログラムにしたがって処理を行っているときに作業領域として用いられるＲＡＭ１１０Ｃとが配備されている。
【００２９】
図２を参照して構成および各部の動作を説明していく。
【００３０】
まずマイクロコンピュータ１１０周りの構成を説明する。
【００３１】
マイクロコンピュータ１１０の入力部には図１（ｂ）に示した操作子群１０１からの操作信号がそれぞれ供給されていてそれらの操作信号のうちの少なくとも一つが供給されてくると操作信号に応じた処理が適宜マイクロコンピュータ１１０によって実行される。上記したようにマイクロコンピュータ１１０はプログラムメモリであるＲＯＭ１１０Ｂを備えており、このＲＯＭ１１０Ｂ内にはこのデジタルカメラ１００が撮影装置として動作するために必要なプログラムが書き込まれている。このＲＯＭ１１０Ｂ内のプログラムは電源スイッチ１０１ａがオフになっているときにも走っており、電源スイッチ１０１ａの投入を待ち受けている。この待ち受け状態にあるときに操作子群１０１の中の電源スイッチ１０１ａ（図１参照）が投入されると電源スイッチ１０１ａが投入されたことがマイクロコンピュータ１１０によって検知され、ＲＯＭ１１０ａ内のプログラムの手順にしたがってこのデジタルカメラ全体の動作を制御する処理が開始される。なお、マイクロコンピュータ１１０には不図示の電池からから常に電力が供給されている。
【００３２】
ここで操作子群１０１の中の電源スイッチ１０１ａ（図１参照）が投入された後のデジタルカメラ１００の動作を、図２を参照して説明する。
デジタルカメラ１００では、電源スイッチ１０１ａが投入されモードレバー１０１ｅが撮影側に切り替えられていた場合には、表示画面１５０上にスルー画の表示が行なわれるので、まずスルー画を表示するときの処理を説明し、その後レリーズ釦１０１ｆの押下を受けて行なわれる撮影処理を説明する。
【００３３】
まずスルー画を表示画面１５０上に表示するときの処理を説明する。
【００３４】
操作子群１０１の中の電源スイッチ１０１ａ（図１参照）が投入されマイクロコンピュータ１１０によりそのことが検知されると、電池と各ブロックとの接断を担うスイッチ（不図示）が接続され電池からの電力が各ブロックに供給される。電源スイッチ１０１ａが投入されたときにモードレバー１０１ｅが撮影側に切り替えられていた場合には、マイクロコンピュータ１１０の制御の下に撮像素子制御部１１１から撮像素子１７３に向けて電子シャッタを設定する信号、さらに画像読出信号が所定の間隔ごとに供給され撮像素子１７３から所定の間隔ごとに画像信号が間引かれてアナログ信号処理部１８０に出力される。
【００３５】
アナログ信号処理部１８０では、ノイズの低減処理などが行なわれノイズの低減処理などが行なわれた画像信号が後段のＡ／Ｄ変換部１８１へと出力される。このアナログ信号処理回路１８０には可変利得アンプが内蔵されておりその可変利得アンプのゲインがマイクロコンピュータ１１０により設定され感度調整が行なわれる構成になっている。このアナログ信号処理部１８０が備える可変利得アンプが本発明にいう感度調整手段の一例を構成する。
【００３６】
また次段のＡ／Ｄ変換部１８１では、アナログ信号処理部１８０からの出力信号を受けてアナログの画像信号からデジタルの画像信号への変換処理が行なわれる。このデジタルの画像信号がデジタル信号処理部１８２に供給されそのデジタル信号処理部１８２でＲＧＢ信号からＹＣ信号への変換などの信号処理が行なわれる。そして信号処理が行なわれた後の画像信号がバッファとして働くメモリ１８３に記憶され記憶されたメモリ１８３の内容に基づいて表示部１８４により表示画面１５０上の表示が行なわれる。
【００３７】
撮像素子制御部１１１からは撮像素子１７３に向けて所定の間隔ごとに画像読出信号が供給されている訳であるから、メモリ１８３の内容が所定のタイミングごとに書き換えられ書き換えられる度に表示画面１５０上の画像が切り替えられることによりレンズ鏡胴内のレンズ１７１が捉えている画像が表示画面１５０上にスルー画となって表示される。
【００３８】
ここでこのスルー画を表示画面１５０上に表示するにあたって、マイクロコンピュータ１１０ではＡ／Ｄ変換部１８１から出力されたデジタルの画像信号の供給を受けて露出調整や焦点調整が常時行なわれている。マイクロコンピュータ１１０内では、Ａ／Ｄ変換部１８１からのデジタルの画像信号の供給を受けて１フレームの画像を構成する画素ごとに積算処理が行なわれて測光処理（以降ＡＥという）や合焦点検出処理（以降ＡＦ処理という）が行なわれてレンズ駆動部１１３に指示してレンズの中のフォーカスレンズ１７１を駆動させたり、絞り駆動部１１２に指示して絞り兼用シャッタの径を調節させたりしている。なお、レンズ駆動部１１３には、レンズ内のフォーカスレンズを駆動する駆動機構に加えて上記した手ぶれ補正レンズを駆動する駆動機構も設けられている。
こうして、露出や焦点のあったスルー画が表示されているときにレリーズ釦１０１ｆが押されると、レリーズ釦１０１ｆの押下タイミングを起点としてマイクロコンピュータ１１０の制御の下に絞り駆動部１１２によって絞り兼用シャッタ１７２が開駆動されて撮像素子１７３に被写体光が結像され、所定のシャッタ秒時が経過して絞り兼用シャッタ１７２が閉じ駆動された後には撮像素子１７３に結像された被写体光に基づく画像信号すべてがＲＧＢ信号となってアナログ信号処理部１８０へと出力される。出力されたＲＧＢ信号を受けて後段のアナログ信号処理部１８０では、ノイズ低減処理等が行なわれノイズ低減処理などが行なわれた画像信号がＡ／Ｄ変換部１８１に供給される。さらにＡ／Ｄ変換部１８１でデジタル信号に変換された画像信号がデジタル信号処理部１８２に供給されデジタル信号処理部１８２でＲＧＢ信号からＹＣ信号への変換処理が行なわれてメモリ１８３に一旦記憶される。そしてそのメモリ１８３内のＹＣ信号が記録制御部１８５の制御の下に圧縮され圧縮されたＹＣ信号が圧縮情報とともに画像ファイルとなってメモリカード１８６に記録される。
【００３９】
以上が、本実施形態のデジタルカメラ１００の基本的な動作の概要である。
【００４０】
また本実施形態のデジタルカメラ１００においては、上記の構成に加えて前述した手ぶれ補正手段１６０が備えられている。本実施形態のデジタルカメラ１００が備える手ぶれ補正手段１６０には、手ぶれ検出部１６１と手ぶれ補正制御部１６２と手ぶれ補正ドライバ１６３とレンズ位置検出部１６４とが備えられていて、手ぶれ検出部１６１を構成するジャイロセンサで手ぶれが検出されると、手ぶれ補正制御部１６２の制御の下に手ぶれ補正ドライバ１６３によってレンズ駆動部１１３を介してレンズ鏡胴１７０内の手ぶれ補正レンズが手ぶれを打ち消すように駆動されて手ぶれ補正が行なわれる。この手ぶれ補正制御部１６２の制御の下に手ぶれ補正ドライバ１６３によってレンズ駆動部１１３を介して手ぶれ補正レンズが駆動されるときには、撮影レンズ内の手ぶれ補正レンズの位置がレンズ位置検出部１６４で検出され検出された位置を表わす信号が手ぶれ補正ドライバ１６３にフィードバックされて手ぶれ補正レンズの位置が精度良く制御される構成になっている。
【００４１】
また、ぶれが手ぶれ補正手段１６０で補正できる補正可能レベル未満である場合には、手ぶれ補正手段１６０で手ぶれ補正が行なわれるが、従来例でも説明した様に、ぶれの大きさが手ぶれ補正手段１６０でぶれを補正することができる補正可能レベル未満であったとしても被写体中に人などの動くものがある場合には被写体ぶれが発生する率が非常に高くなる。
【００４２】
そこで、本実施形態においては、手ぶれ補正手段１６０に加えてさらに顔検出処理部１９０を配備して、撮影時に手ぶれが発生したときに手ぶれ補正手段１６０で手ぶれを補正できる、本発明にいう補正可能レベル未満のぶれが検出されたとしても、顔検出処理部１９０によって被写体中に人の顔があることが検出されたときには被写体ぶれが発生する恐れがあるとして、マイクロコンピュータ１１０は、絞り駆動部１１２に指示して絞り兼用シャッタ１７２を駆動するときのシャッタ速度を速めさせるとともにアナログ信号処理部１８０にアナログ信号処理部１８０内の可変利得アンプのゲインを上げさせて被写体ぶれを防止する撮影制御を行なわせている。
【００４３】
つまり、本実施形態においては、マイクロコンピュータ１１０が、本発明にいう撮影制御手段の一例を構成し、絞り駆動部１１２が本発明にいうシャッタ速度制御手段の一例を構成し、アナログ信号処理部１８０内の可変利得アンプが本発明にいう感度調整手段の一例を構成することになる。なお絞り兼用シャッタ１７２を開放状態にして撮像素子制御部１１１に電子シャッタのシャッタ速度を制御させても良い。その場合には撮像素子制御部１１１がシャッタ速度制御手段の一例を構成することになる。
【００４４】
本発明にいう撮影制御手段の一例を構成するマイクロコンピュータ１１０の処理の手順を、図３を参照して説明する。
【００４５】
図３は、マイクロコンピュータ１１０が実行する撮影処理の手順を示すフローチャートである。
【００４６】
図３のフローの処理は、レリーズボタン１０１ａが半押しされたときに開始される。
レリーズボタン１０１ａが半押しされたら、ステップＳ３０１でＡＥ処理を実行して、次のステップＳ３０２でＡＦ処理を実行する。
【００４７】
ここでシャッタボタン１０１ａが全押しされたら、ステップＳ３０３へ進んでステップＳ３０３で絞り兼用シャッタを開駆動することにより露光を開始し、露光が終了したら絞り兼用シャッタを閉じ駆動することにより露光を終了して次のステップＳ３０４へ進む。次のステップＳ３０４でＣＣＤ１１２にＣＧ１１２１から画像読出信号を供給させて画像信号を順次にＡ／Ｄ変換部１８１へと出力させ、ステップＳ３０５でＡ／Ｄ変換部１８１にＡ／Ｄ変換を行なわせた後そのＡ／Ｄ変換部でデジタル信号に変換された画像信号を、デジタル信号処理部１８２へと供給させる。そしてステップＳ３０６でデジタル信号処理部１８２に画像処理を行なわせてデジタル信号処理部１８２に画像処理を行なわせ次のステップへ進んで次のステップＳ３０７でデジタル信号処理部１８２に圧縮処理を行なわせる。次のステップＳ３０８で記録制御部１８５にメモリカード１８６に撮影により得た圧縮画像信号を画像ファイルとしてメモリカード１８６に記録させてこのフローの処理を終了する。
【００４８】
以上の撮影処理をマイクロコンピュータ１１０が実行する。
【００４９】
ここで、図３（ｂ）を参照して本発明の特徴部分となる露光処理ステップＳ３０３の詳細を説明する。
【００５０】
ステップＳ３０３で露光処理が開始されると、まずステップＳ３０３１で電源ＯＮ時からレリーズボタン１０１ｆが全押し（Ｓ１）されるまでの間の手ぶれ検出部１６１を構成する例えばジャイロセンサで検出され続けているぶれ角を参照する。このステップＳ３０３１でぶれ角が補正可能レベル以上であると判定したらステップＳ３０３３へ進み、ステップＳ３０３３で手ぶれ補正手段１６０の手ぶれ補正可能レベル以上の手ぶれが検出されたとしてステップＳ３０１で手ぶれ補正限界であるシャッタ速度１／ｆ（ｆは絞り値）を設定するとともにそのシャッタ速度１／ｆに応じた撮影感度を設定して次のステップＳ３０３５へ進む。
【００５１】
また、ステップＳ３０３１でぶれ角が０．５度未満であると判定したときには、ステップＳ３０３２へ進み、ステップＳ３０３２で電源ＯＮ時からレリーズボタン１０１ｆが全押し（Ｓ１）されるまでの間のぶれ周波数を検出する。ステップＳ３０３２でぶれ周波数が２０Ｈｚ以上であると判定したらステップＳ３０３３へ進んでステップＳ３０３３でシャッタ速度を速めて手ぶれ補正限界であるシャッタ速度１／ｆを設定するとともにそのシャッタ速度１／ｆに応じた撮影感度を設定して次のステップＳ３０３５へ進む。
【００５２】
またステップＳ３０３２でぶれ周波数が２０Ｈｚ未満であると判定したら、ステップＳ３０３４で手ぶれ補正限界であるシャッタ速度１／ｆよりも２段遅いシャッタ速度を設定するとともにそのシャッタ速度に適した撮影感度を設定する。
【００５３】
次のステップＳ３０３５で顔検出結果を参照して顔が未検出であると判定したらステップＳ３０３６、ステップＳ３０３７をスキップしてステップＳ３０３８へ進む。また、顔が検出されたと判定したらステップＳ３０３６でステップＳ３０３３又はステップＳ３０３４で現在設定されているシャッタ速度が被写体ぶれを防止するシャッタ速度例えば１／６０（ｓｅｃ）よりも遅いかどうかを判定する。ここでシャッタ速度１／ｆが１／６０よりも遅いと判定したら、ステップＳ３０３７へ進んで１／６０よりも遅いシャッタ速度を避けたシャッタ速度に調整してステップＳ３０３８へ進み、ステップＳ３０３７でシャッタ速度が１／６０以上の速さであると判定したらステップＳ３０３７をスキップしてステップＳ３０３８へ進む。
【００５４】
ステップＳ３０３８でステップＳ３０３３又はステップＳ３０３４又はステップＳ３０３７で設定したシャッタ速度でシャッタを絞り駆動部１１２に開駆動させ、シャッタ速度に応じた所定の時間露光が行なわれたら、次のステップＳ３０３９で絞り駆動部１１２にシャッタを閉じ駆動させてこのフローの処理を終了してステップＳ３０４に進む。
【００５５】
マイクロコンピュータ１１０が以上の本発明にいう撮影方法の一例に相当する処理を実行すると、不慣れな撮影により撮影が行なわれたとしても、手ぶれが手ぶれ補正手段１６０で補正されるとともに、被写体ぶれの発生の恐れがあるときにはその被写体ぶれの発生が未然に防止されて鮮明な撮影画像が得られる。
【００５６】
ここで、図３（ｂ）に示す様に電源をオンしてから図３（ｂ）のステップＳ３０３１の処理を行ない続けると無駄に長い時間の間、処理が繰り返されて余計な電力が消費される。そこでレリーズボタン１０１ｆ（図１参照）に静電センサＳＴを設けたり、ファインダ１０５に接眼センサ（フォトリフレクタ等）ＰＲを設けたりしてレリーズボタン１０１ｆへの指の接触やファインダ１０５への接眼が検出されたときにこれから撮影が行なわれるとして指の接触が検出された以降に、また接眼が検出された以降にぶれの検出処理を行なわせるようにすると消費電力の低減を図ることができる。
【００５７】
図４は、図２の構成に静電センサＳＴを付加した構成を示す図であり、図５は、そのときのマイクロコンピュータ１１０の撮影処理の手順を示す図である。また、図６は、図２の構成に接眼センサＰＲを付加した構成を示す図であり、図７は、そのときのマイクロコンピュータ１１０の撮影処理の手順を示す図である。
【００５８】
図４に示す様に、レリーズボタン１０１ｆに静電センサＳＴを設けて、図５の処理ステップＳ３０３１Ａ、ステップＳ３０３２Ａに示す様にレリーズボタン１０１ｆに指が触れた時点以降のぶれを検出することができるようにしたり、図６に示す様にファインダ１０５にフォトリフレクタＰＲを設けて図７のステップＳ３０３１Ｂ、ステップＳ３０３２Ｂの処理に示す様にファインダ１０５に接眼した以降のぶれを検出することができるようにしたりすると、撮影直前のぶれ状態が検出されより効率的に処理が行なわれて消費電力の低減が図られる。
【００５９】
また、シャッタ速度と撮影感度とを画像ファイル内のヘッダに記録しておいて、再生時に確認することができるようにしておくと、表示画面上の画像を見ながらシャッタ速度と撮影感度がどの程度であったかを確認することができる。
【００６０】
図８は、図３の記録処理ステップＳ３０８の詳細を示すフローチャートである。図９は、マイクロコンピュータ１１０の制御の下に記録手段の一例を構成する記録制御部がメモリカード１８６に画像ファイルを記録するときのメモリアロケーションを示す図である。
【００６１】
図９に示す様に、ヘッダ領域にはスタートコード領域、次にタグ領域、さらにサムネイル領域が割り当てられていて、それらの下方に撮影画像の記録領域が割り当てられている。図８の処理が実行されると、図９のタグ領域にシャッタ速度と撮影感度の情報が記録される。
【００６２】
そうすると、再生モードにしたときに表示画面１５０上に既撮影画像が再生表示されたときにその既撮影画像が撮影された時のシャッタ速度と撮影感度とを既撮影画像とともに表示することができる。例えば表示画面上にぶれた画像が表示されたときにはそのぶれた画像が撮影されたときのシャッタ速度や撮影感度が共に表示されると、撮影者はその表示画面を見て手ぶれ補正や被写体ぶれがうまく行なわれなかった原因などを究明することができる。
【００６３】
以上、説明したように、不慣れな撮影者により撮影が行なわれたとしても、手ぶれが手ぶれ補正手段で補正されるとともに被写体ぶれの発生が未然に防止されて鮮明な撮影が行なわれる撮影装置およびその撮影装置における撮影方法が実現する。
【図面の簡単な説明】
【００６４】
【図１】本発明の撮影装置の一実施形態であるデジタルカメラを示す図である。
【図２】図１のデジタルカメラ１００内部の電気系統の構成ブロック図である。
【図３】マイクロコンピュータ１１０が実行する撮影処理の手順を示すフローチャートである。
【図４】図２の構成に静電センサＳＴを付加した構成を示す図である。
【図５】図４の構成のときのマイクロコンピュータ１１０の撮影処理の手順を示す図である。
【図６】図２の構成に接眼センサＰＩを付加した構成を示す図である。
【図７】図６の構成のときのマイクロコンピュータ１１０の撮影処理の手順を示す図である。
【図８】図３の記録処理の詳細を示すフローチャートである。
【図９】マイクロコンピュータ１１０の制御の下に記録手段の一例を構成する記録制御部１８５がメモリカード１８６に画像ファイルを記録するときのメモリアロケーションを示す図である。
【符号の説明】
【００６５】
１００    デジタルカメラ
１０１    操作子群
１０１ｆ    シャッタボタン
ＳＴ    静電センサ
１０５    ファインダ
ＰＲ    接眼センサ
１１０    マイクロコンピュータ
１１０Ａ    ＣＰＵ
１１０Ｂ    ＲＯＭ
１１０Ｃ    ＲＡＭ
１７３    撮像素子
１８０    アナログ信号処理部
１８１    Ａ／Ｄ変換部
１８２    デジタル信号処理部
１８３    メモリ
１８４    表示部
１８５    記録制御部
１８６    メモリカード
１６０    手ぶれ補正手段
１６１    手ぶれ検出部
１６２    手ぶれ補正制御部
１６３    手ぶれ補正ドライバ
１６４    レンズ位置検出部
【図１】
2008228049.tif 000003
【図２】
2008228049.tif 000004
【図３】
2008228049.tif 000005
【図４】
2008228049.tif 000006
【図５】
2008228049.tif 000007
【図６】
2008228049.tif 000008
【図７】
2008228049.tif 000009
【図８】
2008228049.tif 000010
【図９】
2008228049.tif 000011